(57)【要約】  本発明は、犬の排泄物が公共の場所に落ちないようにする特殊なストラップ組立体に関する。本発明の組立体は、犬の尻に装着された弾性ストラップを有し、この弾性ストラップは、閉じられた弾性ゴムバンドを用いて糞収集袋を連結できるにする特性を備えた単一の部品（４）を支持している。本発明は、長さ調節具（５）を備えた５本の弾性ストラップ（１），（２），（３）から成り、これら弾性ストラップは、単一の部品（４）と一緒になって、互いにばらばらになることはない単一の組立体を形成する。糞がいったん袋の中に入ると、収集袋を単一の部品（４）から取り外し、弾性バンドをもとの状態にし、収集袋を、接着剤ストリップで気密封止し、この接着剤ストリップは開口部の内側フェースのうちの１つに設けられたプラスチックバンドで保護する。本発明は本質的に、単一部品の特定の性質、ストラップの本数及び構造、収集袋の形式を特徴としている。
2007530023.tif 000002
【特許請求の範囲】
【請求項１】
単一の部品、ストラップ及び糞収集袋によって形成されていて、犬の排泄物が公共の場所に落ちるのを阻止するようになった特殊なストラップ組立体であって、
前記単一部品（４）は、２つの突起又は隆起部、すなわち、前記ストラップを受け入れて支持する５つのスロット（６）が設けられた、錐台のような、凸状下側突起（７）と、別の僅かに凹凸状の上側突起（８）を備えたプーリに類似した形状とを有し、
前記下側突起と前記上側突起との間には凹部（９）が設けられ、前記上側突起は、２つの端部のところに、フック（１１）のような丸い形状で終端する漸次テーパを構成する領域（１０）が切断され、
この部品は、動物の尾（１５）及び肛門（１６）を包囲し、閉じられた弾性ゴムバンド（１２）の結果として、前記糞収集袋（１３）の支持体として働くことを本質的な特徴とする特殊ストラップ組立体。
【請求項２】
前記ストラップ組立体は、互いに異なる長さを有する５本の弾性ストラップを有し、該弾性ストラップは全て、留め金の無い長さ調節具（５）を有し、前記弾性ストラップは全て、互いに且つ前記単一の部品（４）に接合され、互いにばらばらになることはない単一の組立体を形成し、該単一組立体では、他のストラップよりも長いストラップ（１）は、前記単一部品（４）の上方部分にその起点を有し、該ストラップ（１）は、犬の首輪に固定され、２本の互いに等しいストラップ（２）は、前記単一部品（４）の下方部分から延びて互いに接合され、動物の後脚の内部を通って背中の高さ位置で前記第１のストラップ（１）に至り、前記ストラップ（２）は、最初の部分において幅が狭く、最後に、２本の互いに等しいストラップ（３）は、上述の前記ストラップよりも短く、該ストラップ（３）は、前記単一部品（４）の側部から延び、該ストラップの垂直運動を可能にした状態で、上述の前記ストラップの各々に水平に引っ掛けられている、請求項１記載の犬の排泄物が公共の場所に落ちないようにする特殊なストラップ組立体。
【請求項３】
前記糞収集袋（１３）は、プラスチックで作られていて使い捨てであり、前記糞収集袋は、該糞収集袋がその内側フェースのうちの一方に、前記開口部の内周部の半分のところにくっ付けられた保護プラスチックストリップを有する幅の狭い接着剤ストリップ（１４）を有するので気密封止でき、前記収集袋は、前記収集袋とは別個独立の要素と見なす必要のある平らな閉じられた弾性ゴムバンド（１２）によって前記単一部品（４）に結合されている、請求項１又は２記載の犬の排泄物が公共の場所に落ちないようにする特殊なストラップ組立体。
【発明の詳細な説明】
【技術分野】
【０００１】
本発明は、ペットに関連し、特に、犬の排泄物が地面に落ちないで袋の中に入るようにする犬用のストラップ組立体と関連した製品の分野に入る。
【背景技術】
【０００２】
現在、ペットとしての犬の需要が、犬の所有者に関してだけでなく、一般市民及び特に大きな都市において都市の清掃を担当している人にとって一層深刻に犬の糞に関する現実的な問題を生じさせている。犬の排泄物に関して公共場所をきれいな状態に保つ上での共同責任についての言及がなされている。上記のことに加えて、この不備のために検出された多くの病気や感染が増大すると共に公共の場所に落ちている動物の糞を踏んだ結果として転ぶ人について、入院のケースが増大していることは誇張ではない。
【発明の開示】
【発明が解決しようとする課題】
【０００３】
上述の問題と関連した当該技術分野においては、多くの背景技術に係る特許文献が存在し、本発明により、これまで公開された技術は、その有効性、その単純性、動物への脱着が非常に容易であること、その安い生産費、或いはその外観に鑑みて、実用的であり且つ市場性があるようにこの種の製品について適当な技術上及び設計上の要件を備えていないことが判明した。したがって、特殊なストラップ組立体であって、動物の糞をこのストラップ組立体に結合された袋の中に入れ、この行為を簡単で清潔でありしかも完全に有効な仕方で行うことができる特殊なストラップ組立体が得ることが望ましく、この行為は、動物の解剖学的構造が所与であり、動物の突然の動作が種々のストラップ組立体要素を乱雑にする場合があるので簡単な事ではなく、それにより上述の行為は、非効率的になる。困難さの増すことは、犬の肛門が、その尾の非常に近くであってその真下に位置し、これは、上述の袋を排泄物又は糞収集器として構成するのを桁外れに複雑にするということにある。さらに、糞を袋の中に気密封止して不快な臭いや寄生虫を放出できないようにすることが望ましい。技術の現状を研究した後、全世界的で単純且つ実用的であり、有効且つ市場性のある仕方で上述したことに対応できる提案は存在しない。
【課題を解決するための手段】
【０００４】
この目的のため、本発明は、動物の体、主としてその尻に装着される特殊なストラップ組立体を得ることに関心を寄せており、かかるストラップ組立体は、糞収集器として働く袋を含み、したがって、犬の動きが突然であっても、ストラップ組立体の要素の初期の位置が変わらず、これらの完全な有効性が常時保たれるようになっている。
【０００５】
したがって、ストラップは、プラスチック等で作られた単一の部品を支持し、その他とは異なる特徴により、単一部品を犬の解剖学的構造に尾及び肛門の周りで装着できると共に弾性ゴムバンドの助けを借りて容易且つ迅速でしかも効果的な仕方で尾の下の犬の肛門を包囲する収集袋に連結でき、この収集袋は、２つの幅の広い接着剤バンドを有する袋とは異なり、犬がいったん排便を行うと、袋を気密封止できる幅の狭い内側接着剤バンドを、袋を部品にくっ付けることができる目的で袋の内側フェースの両方に有することを特徴としている。
【０００６】
本発明は、大抵の場合、犬の尻に装着される新規な特殊ストラップ組立体から成り、このストラップ組立体は、プラスチック材料等で作られていて、動物の尾及び肛門を包囲する単一部品を有し、この単一部品は、弾性ゴムバンドにより支持され、使用後気密封止できる使い捨てプラスチック袋をこの単一部品に結合できる。長さ調整可能な５本の弾性ストラップは、単一部品（これについては以下に説明する）から延びており、これらのうち１本は、単一部品の上方部分から延びて犬の首輪に引っ掛けられ、２本の他のストラップは、これらの初期位置において幅が狭く、互いに別々に単一部品の下方部分から延びており、これらストラップは各々、犬の背中の特定の高さ位置で上述の第１のストラップに達し、犬の後脚の各々の内方側部に装着され、最後の２本のストラップは、単一の部品の側部から延び、上述した最後の２本のストラップに水平方向に留められ、これらの垂直運動を可能にする。ストラップは全て、単一部品と一緒になって、互いにばらばらになることがない単一の組立体を形成する。
【０００７】
これらストラップは、留め金を備えておらず、これに代えて、犬の体に完全に締め付けられ、そして単一部品を定位置に支持すると共に保つために、これらストラップの長さの変化を可能にする調節具を備えることを特徴としている。この単一部品は、プラスチック等で作られており、２つの突起を備えた中空の円形中央部、下方凸状の突起及び上方の凹凸状突起を備えたプーリに類似した特定の形状を有し、これら突起の間には、袋を弾性ゴムストリップで支持する凹部が設けられている。この単一部品は、動物の体と接触状態にある下側突起の凸形状の結果として、動物の体に適合している。この突起には、それぞれのスロットを備えた５つの突出部が存在し、これらスロット内に、５本のストラップが引っ掛けられる。他方、上側突起の凹凸状形状は、この突起を下側突起から離隔させ、袋を単一部品に結合したりこれから取り外すのが容易になる。上側突起は、その上方部分が切断されており、フックのような丸い形で終端するそれぞれの漸次テーパを２つの端部のところに構成している。上述の特徴の全てにより、単一部品は、その目的を達成する適当な設計のものになる。
【０００８】
ストラップ組立体は、使い捨てプラスチック袋を備え、この使い捨てプラスチック袋は、袋の内側フェースのうちの１つに設けられた開口部内周部の半分に沿ってこの開口部の近くで保護プラスチックストラップを備えた接着剤を特定の特徴として有し、この袋は、平らな閉じられた弾性ゴムバンドにより単一部品に固定されている。ストラップ、単一部品、袋及び弾性ゴムバンドは、犬の大きさに応じて種々のサイズに作られる。
【０００９】
本明細書における説明を良好に理解するため、例示として、犬の排泄物が公共の場所に落ちないようにする特殊なストラップ組立体の実施形態を示す幾つかの図が添付されている。
【発明を実施するための最良の形態】
【００１０】
犬の排泄物が公共の場所に落ちないようにする特殊なストラップ組立体が、互いに接合された３つの互いに異なる部品、即ち、５本の弾性ストラップと、単一部品と、使い捨て収集袋とから成っている。図１によれば、ストラップ組立体は、大きさに応じて様々であってよい幅及び長さを有し、プラスチック又はこれに類似した材料で作られた長さ調節具（５）を備える５本の弾性ストラップから成り、これらストラップは各々、図１に詳細に示されているように、単一部品（４）のスロット（６）の各々の中にその端部のうちの一方が引っ掛けられ、図１に示すように互いに接合されている。長い方のストラップ（１）は、単一部品（４）の上方部分から延び、犬の首に付けられた首輪に引っ掛け、他の２本の弾性ストラップ（２）は、単一部品（４）の下方部分から延び、ストラップ組立体を犬の体に良好に装着するが、生殖器領域における動物の不快感を生じさせず又は動物の後脚の動きを邪魔しないようにする目的で、スロットの出口のところにおいてこれらの初期部分において短く且つ幅が狭く、尾の近くで犬の背中の尻の特定の高さ位置で上述したストラップに接合され、最後の２本のストラップ（３）は、上述のストラップよりも短く、単一部品（４）の側部から延び、垂直運動が可能な状態で後腿の高さで上述の２本のストラップに引っ掛けられている。犬の体へのストラップ組立体の固定及び装着具合は、図４及び図５において完全に理解でき、図４及び図５は、動物の側部（図４）及び動物の背後（図５）から見たストラップ組立体の位置決め状態を示す図である。
【００１１】
図６、図７、図８、図９及び図１０は、単一部品（４）の形態を詳細に示している。この単一部品（４）は、プラスチック材料等で作られていて、大きさに応じて様々であってよい幅及び直径を備え、２つの突起又は隆起部、即ち、下側突起（７）及び上側突起（８）を備えたプーリに類似した形状を有し、これら突起相互間には、図２に示す排泄物収集袋（１３）を支持する凹部（９）が設けられており、これについては後で説明する。
【００１２】
中空で僅かに凹凸状の表面を備えた上側突起（８）は、図６及び図８で理解できるように、その上方部分（１０）が切断されており、２つの端部のところに、フック（１１）に類似した丸い形状で終端する漸次テーパをそれぞれ構成している。下側突起（７）は、尾及び肛門の周りの犬の解剖学的構造への単一部品（４）の完全な装着を可能にする錐台の外観（漏斗のような外観）を備えた僅かに凸状の形状を有している。この下側突起は、図６、図８、図９及び図１０に示すそれぞれのスロット（６）を備えた５つの突出部を有し、これらスロット内には、５本のストラップの端部が固定されることになる。
【００１３】
図１１は、単一部品（４）が、犬の尾（１５）、肛門（１６）、図２に示されていて、大きさに応じて様々であってよい幅、厚さ及び長さを有する平らな閉じられた弾性ゴムバンド（１２）の結果として、単一部品（４）に結合される排泄物収集袋として役立つプラスチック袋（１３）をどのように包囲しているかを示している。したがって、袋（１３）は、単一部品（４）で安全に支持され、上述のフックで結合プロセスを開始し、袋の上方部分は、弾性ゴムバンド（１２）で押された状態で尾のすぐ下に位置し、犬の解剖学的構造と関連した問題を解決している。というのは、その肛門は、その尾（その真下に位置する）に非常に近く、これを収集袋で包囲することが困難だからである。図１に十分に詳述されているように、弾性ストラップと単一部品は、互いに接合され、それにより互いにばらばらになることはない単一組立体を形成している。
【００１４】
最後に、本発明の第３の部分は、図２に示す袋（１３）から成り、この袋は、動物の大きさに応じて様々であってよいサイズを有し、使い捨て（単一使用）であり、開口部内周部の半分に沿ってこの開口部の近くで、プラスチックストリップによって保護された袋の内側フェースのうちの１つに設けられた接着剤ストリップ（１４）を有する。排泄物がいったん袋の中に入れられると、袋を単一部品から分離し、弾性ゴムバンドを元通りにし、保護ストリップを接着剤から取り外し、袋を悪臭又は寄生虫が逃げ出ないようにした状態で気密封止できる。
【００１５】
上記説明から、図面に基づき、排泄物が公共の場所に落ちないにする特殊ストラップ組立体の利点は、他の先の組立体に関して理解できる。
【００１６】
先ず最初に指摘しなければならないこととして、本発明は、弾性ストラップの長さを変化させ、したがって、動物の解剖学的構造、特に、動物の体の尻に完全に適合させる調節具を備えた完全に弾性のストラップ付きのストラップ組立体であり、ストラップの本数とこれらの配置状態の両方は、極めて重要である。図１に示すように単一部品（４）の下方領域で始まる２本のストラップ（２）は、これらが単一部品（４）に取り付けられる領域においては幅が狭く、動物の生殖器領域に不快感を生じさせたり後脚の動きにおいて不快感を生じさせることがなく、それと同時に、長さの短い２本の側ストラップ（３）と一緒に、必要な張力を及ぼして単一部品がこれをいったん配置すると位置を変えることができないようにし、それにより本発明の最大限の有効性が実現できる。
【００１７】
動物の解剖学的構造への完全な適合を可能にする下側凸状突起及び別の上側の僅かな凹凸状の突起を備えた図６、図７、図８、図９及び図１０に明確に示された単一部品（４）の形状の結果として、弾性ゴムバンドによってプラスチック袋を非常に容易且つ迅速に、しかも効率的に結合したり取り外すことが可能である。というのは、両方の突起は、これらの縁部が単一部品の中央から遠ざかるにつれて互いに遠くなるからであり、したがって、両方の作業にとって正確さは不要であり、このことは、本発明の商業的な成功にとって必要不可欠である。
【００１８】
これと同様に、ストラップ及び単一の部品は、一体形部品を形成し、即ち、構成要素が互いにばらばらになることがない一体形組立体を形成し、長さ調節具で置き換えられる鋲又はこれに類似した要素を備えたクラスプは設けられず、犬へのストラップ組立体の配置とその取り外し又は取り出しの両方を容易にすると共に促進する上で明らかな改良が得られる。事実、取り外しは、首輪に接合されたストラップを解除し、これを後方に引くことにより、直ちにと言ってもよいほどであり、それによりストラップ組立体が犬を前に歩かせながら外すことができる。
【００１９】
最後に、犬の排泄物を隔離する袋の内側接着剤ストリップの結果として、袋の気密封止が、悪臭や寄生虫に起因する感染が広がるのを阻止することを指摘することが必要である。
【００２０】
上述のこと全てにより、犬の排泄物が公共の場所に落ちるのを阻止するこの特殊なストラップ組立体が作用において完全に有効であるようになる。ストラップ組立体の美的価値、これが小型であること及び用いられる材料が安価であることをもし無視しなければ、この特殊なストラップ組立体は、取り扱いの簡単さと有効性及び良識を組み合わせようとする新規な装置として構成され、これら特徴は、製品を多くの人によって使われ、即ち市場性があるようにする決定的な要因である。
【００２１】
当業者が本発明の範囲及びこれから得られる利点を理解できるようにこの説明を確証する必要があるとは考えられない。ストラップ、単一部品、袋及び弾性ゴムバンドは、サイズの変化が可能である。
【図面の簡単な説明】
【００２２】
【図１】ストラップと単一部品が単一組立体を形成するよう互いにどのように接合しているかが示された特殊ストラップ組立体の全体図である。
【図２】接着剤ストリップが開口部の次の内側フェースのうちの１つに設けられた状態で見える袋を示す図である。
【図３】ストラップに設けられる長さ調節具の形式を示す図である。
【図４】特殊ストラップ組立体をいったん犬の体に装着したときに特殊ストラップ組立体が側部からどのように見えるかを示す図であり、収集袋が設けられていない状態を示す図である。
【図５】特殊ストラップ組立体が犬の体に取り付けられた状態で後ろからどのように見えるかを示す図であり、収集袋は設けられていない状態を示す図である。
【図６】単一部品の平面図である。
【図７】下側及び上側突起の凸状及び凹凸状が見える単一部品の断面図である。
【図８】水平に配置された単一部品の側面図である。
【図９】単一部品の上から見た水平に配置された単一部品の図である。
【図１０】単一部品の下から見た水平に配置されている単一部品の図である。
【図１】
2007530023.tif 000003
【図２】
2007530023.tif 000004
【図３】
2007530023.tif 000005
【図４】
2007530023.tif 000006
【図５】
2007530023.tif 000007
【図６】
2007530023.tif 000008
【図７】
2007530023.tif 000009
【図８】
2007530023.tif 000010
【図９】
2007530023.tif 000011
【図１０】
2007530023.tif 000012
【図１１】
2007530023.tif 000013
【国際調査報告】
2007530023.tif 000014
2007530023.tif 000015
2007530023.tif 000016
2007530023.tif 000017